(57)【要約】【課題】本発明は、回転多面鏡を押圧して固定する板ばねのカジリ等をなくし、円滑で、かつ安定した回転多面鏡の回転を実現することを目的とする。【解決手段】本発明は、回転多面鏡１を支持部に押圧して保持する板ばねに複数の弾性脚１０を放射状に形成し、回転多面鏡１に弾接する各弾性脚１０の角部には面取り部１２を形成したものである。その結果、弾性脚１０によるカジリ等がなくなり、回転多面鏡１の回転を確実にすることができるという効果が得られる。【選択図】図２
2006171050.tif 000002
【特許請求の範囲】
【請求項１】
モータのロータと連係して回転する支持部に、板ばねの弾性力を介して回転多面鏡を押圧保持し、前記板ばねの回転多面鏡と接する部位は面取りした回転多面鏡駆動装置。
【請求項２】
上記支持部はロータと一体的に構成され、中心部がモータの軸に係止された板ばねには回転多面鏡に弾接する複数の放射状弾性脚を形成した請求項１記載の回転多面鏡駆動装置。
【請求項３】
面取りはバレル処理により行った請求項１または２記載の回転多面鏡駆動装置。
【請求項４】
請求項１〜３いずれか１項記載の回転多面鏡駆動装置を画像形成部に搭載したレーザプリンタ。
【請求項５】
請求項１〜３いずれか１項に記載の回転多面鏡駆動装置を画像形成部に搭載した複写機。
【発明の詳細な説明】
【技術分野】
【０００１】
本発明は、レーザプリンタなどでレーザのスキャンに利用される回転多面鏡駆動装置に係るもので、詳しくは、その回転多面鏡の固定構造に関するものである。
【背景技術】
【０００２】
従来、高速・高精度・低騒音及び長寿命を要求される回転多面鏡駆動装置にあって、その回転多面鏡の固定に図７の構造を採用していた。すなわち、図７において、回転多面鏡２１はモータの回転軸２２に挿入されるとともに、この回転軸２２と一体的なボス部２３に下面が支持されるようにしてある。板ばねなどからなる弾性部材２４は前記回転多面鏡２１をボス部２３に押し付ける作用をもつ。
【０００３】
つまり、回転多面鏡２１は、ボス部２３と弾性部材２４とによって挟持される形で回転軸２２と一体的に回転するように設定されている。
【０００４】
前記弾性部材２４は、その中心孔２４ａを回転軸２２に貫通させ、この回転軸２２の途中に形成した環状溝２５に孔縁より突出形成した複数の舌片２４ｂを係止することで軸方向に固定される。前記弾性部材２４の取付けは、舌片２４ｂの弾性を利用しながらその中心孔２４ａに回転軸２２を貫通させればよい。
【０００５】
弾性部材２４が回転軸２２に取付けられる際、放射状にのびる複数の弾性脚２４ｃが弾性変形しながら回転多面鏡２１の上面に弾着することとなる。(例えば、特許文献１参照)。
【特許文献１】特開昭６１−１７５６１２号公報（第４頁、図１）
【発明の開示】
【発明が解決しようとする課題】
【０００６】
弾性部材２４は平板状ばね材をプレス加工して形成するのが一般的であり、抜きバリ、カエリの発生は避けられない。
【０００７】
そこで、図８，９のように、抜きバリ、カエリの発生する部位２６が上方に位置するごとく弾性部材２４を回転軸２２に取付けるようにしていた。
しかしながら、抜きバリなどが発生する部位２６とは反対側の角部でも、金型精度により均一に仕上げることは難しく、どうしてもエッジ２７が少なからず残ってしまい、完全になくすることは困難である。
【０００８】
その結果、弾性部材２４の弾性脚２４ｃを弾性変形しながら回転多面鏡２１の上面に弾着する際に、エッジ２７の外周方向摺動時にカジリが発生し、回転多面鏡２１を傷つけてしまう。
【０００９】
周知のように回転多面鏡２１は高速回転するもので、上記傷つきにより回転多面鏡２１の重量バランスを崩して、振動発生の要因となり、その基本的性能に致命的なダメージを与えることがあった。
【００１０】
また、エッジ２７の存在は、図１０に示すように押圧分布のバラツキ（斜線部分参照）として現れ、回転多面鏡２１を径方向に偏倚させる力が発生し、これまたその基本的性能に悪影響を及ぼす課題があった。
【００１１】
本発明は、このような従来の課題を解決するものであり、回転多面鏡を確実に固定し、印字の高精度化などその基本的性能を充分に発揮し得るようにしたものである。
【課題を解決するための手段】
【００１２】
本発明は、上記課題を解決するために、モータのロータと連係して回転する支持部に、板ばねの弾性力を介して回転多面鏡を押圧保持し、前記板ばねの回転多面鏡と接する部位は面取りしたもので、エッジの影響をなくしたものである。
【発明の効果】
【００１３】
本発明の回転多面鏡駆動装置によれば、押圧部材の押圧腕部が面取りされていることで、回転多面鏡を押圧し固定する際、弾性脚部が回転多面鏡面を円滑に径方向外側へ摺動し、カジリ等を発生しない。したがって、回転多面鏡の傷つきがなくなり、加えて、押圧力が回転多面鏡の上面全体に均一に加圧されるので、その鏡面の回転軸に対する平行度に影響を与えることがなく、回転多面鏡の面倒れが増加せず、印字精度の向上等、その性能を充分に発揮させることができる。
【発明を実施するための最良の形態】
【００１４】
本発明の実施の形態は、モータのロータと連係して回転する支持部に、板ばねの弾性力を介して回転多面鏡を押圧保持し、前記板ばねの回転多面鏡と接する部位は面取りを施したものである。
【００１５】
したがって、回転多面鏡上面に接触する部分でカジリなどが発生せず、回転多面鏡に対する押圧力が全体に均一作用することとなる。
【００１６】
さらに具体的には、上記支持部はロータと一体的に構成され、中心部がモータの軸に係止された板ばねには回転多面鏡に弾接する複数の放射状弾性脚を形成したもので、複数の放射状弾性脚により回転多面鏡への押圧力がより均等に加わることになる。
【００１７】
弾性脚の面取りは、例えば、バレル処理により行うことが考えられる。
【００１８】
そして、実施形態の回転多面鏡駆動装置をレーザプリンタの画像形成部に搭載すれば、高精度な印字精度を実現でき、さらに複写機の画像形成部に搭載すれば高精度な複写精度を実現できる。
【実施例】
【００１９】
以下本発明の実施例について図面を用いて説明する。
【００２０】
（実施例１）
図１〜図４において、モータ１におけるステータ２の外側に配置されたロータ３は、ボス状の支持部４を介して回転軸５に連係している。そしてアルミニウム製の回転多面鏡６が上記支持部４に板ばね７の弾性力を利用して固定されている。
【００２１】
さらに詳述すると、板ばね７は、中心に軸孔８を形成したばね主体部９と、この主体部９から放射状にのびるとともに、それぞれ下方向に湾曲させた複数の弾性脚１０とからなる。そして、軸孔８を回転軸５に通して各弾性脚１０が回転多面鏡６の上面に弾性変形するまで押圧し、その後、ワッシャー１１を回転軸５に係止して主体部９が上方復元変位するのを阻止するようにする。その結果、回転多面鏡６は、支持部４と板ばね７との間に挟持されるものである。
【００２２】
もちろん、板バネ７における主体部９の回転軸５に対する保持は、従来と同様に軸孔８から突出形成した舌片を回転軸５の環状溝に係止するものでもよく、特定の構成に限定されるものではない。
【００２３】
ところで、板ばね７は金属製板ばね材をプレス加工により形成し、バレル処理にて面取りを施している。図２及び図３に示すように、各弾性脚１０の回転多面鏡６と接触する先端角部は、バレル処理の結果、滑らかな面取り部１２が施され、抜きバリ、カエリも除去される。
【００２４】
従って、板ばね７が回転多面鏡６を押圧する際、弾性脚１０が回転多面鏡６の上面に弾接して外側に広がってもカジリ等が生じることがない。
【００２５】
以上から、板ばね７の押圧力が図４斜線部分で示すように回転多面鏡６全体に均一に加わり、回転軸４に対する回転多面鏡鏡６の傾きを低減することができる。
【００２６】
因みに、弾性脚１０にバレル処理で面取り部１２を施した場合と、角部が存在する場合との、それぞれの回転多面鏡の面倒れ及び回転変動ジッタ―の特性比較を図５に示しているが、本実施の形態のものでは面倒れ及び回転変動ジッタ―を大幅に改善できる。また弾性脚１０のカジリによる回転多面鏡６の損傷がなく良好なバランスを維持できる。
【００２７】
なお、回転多面鏡６と支持部４とを多角形状等の非円形嵌合部で嵌合させておけば上記回転多面鏡６の空回りを防止できる。また、支持部４は本実施形態のように別途設けてもよいし、ロータ３のフレーム等をそのまま活用することも考えられる。
【００２８】
図６は本実施例の回転多面鏡駆動装置１３を画像形成部に搭載したレーザプリンタ１４を示し、先にも述べたように回転多面鏡６の面倒れ及び回転変動ジッタ―が大幅に向上できるところから、高精度な印字精度を実現できる。
【００２９】
さらに、本実施例の回転多面鏡駆動装置１３を画像形成部に搭載した複写機とすることによって、同様に高精度な複写精度を実現できる。
【産業上の利用可能性】
【００３０】
本発明にかかる回転多面鏡駆動装置は、板ばねの押圧力が回転多面鏡全体に均一に加わり、回転多面鏡の傾きを低減させるもので、プリンタ或いは複写機への利用が可能である。
【図面の簡単な説明】
【００３１】
【図１】本発明の実施例１における回転多面鏡駆動装置の断面図
【図２】同板ばねの要部拡大側断面図
【図３】同板ばねの要部拡大正断面図
【図４】同板ばねの押圧力分布図
【図５】同回転多面鏡駆動装置の特性比較図
【図６】同回転多面鏡駆動装置を画像形成部に搭載したレーザプリンタの概略構成図
【図７】従来の回転多面鏡駆動装置の分解斜視図
【図８】同板ばねの要部拡大側断面図
【図９】同板ばねの要部拡大正断面図
【図１０】同板ばねの押圧力分布図
【符号の説明】
【００３２】
１    モータ
３    ロータ
４    支持部
５    回転軸
６    回転多面鏡
７    板ばね
１０    弾性脚
１２    面取り部
１３    回転多面鏡駆動装置
１４    レーザプリンタ
【図１】
2006171050.tif 000003
【図２】
2006171050.tif 000004
【図３】
2006171050.tif 000005
【図４】
2006171050.tif 000006
【図５】
2006171050.tif 000007
【図６】
2006171050.tif 000008
【図７】
2006171050.tif 000009
【図８】
2006171050.tif 000010
【図９】
2006171050.tif 000011
【図１０】
2006171050.tif 000012